(57)【要約】  【課題】  従来の光加工においては、半田付け部に照射される光の一部がスルーホール内を通って挿入部品の表面に達してしまい、この挿入部品に不具合を生じてしまうという課題があった。  【解決手段】  バンドルファイバを、各々一端から光を入射し他端から光を出射する束ねられた複数の光ファイバと、前記光ファイバの位置を調整する調整部とを備えた構成とする。この構成により、容易かつ自在に様々な光の照射態様を実現することができる。【選択図】  図２
2007065280.tif 000002
【特許請求の範囲】
【請求項１】
各々一端から光を入射し他端から光を出射する束ねられた複数の光ファイバと、
前記光ファイバの位置を調整する調整部とを備えたバンドルファイバ。
【請求項２】
調整部は、光ファイバを固定する保持部と、前記保持部の光ファイバ出射部分を移動させる機構部とからなる請求項１記載のバンドルファイバ。
【請求項３】
機構部は、保持部に押し圧力を加えることで前記保持部の光ファイバ出射部分を移動させる請求項２記載のバンドルファイバ。
【請求項４】
複数の光ファイバは略環状に配置されており、調整部により各光ファイバの位置を変更して各光ファイバが配置されている略環状の径を変更することで、出射する略環状の光の径を変更可能とした請求項１から３のいずれか１項に記載のバンドルファイバ。
【請求項５】
環状に配置された複数の光ファイバの略中心にも光ファイバを配置した請求項４記載のバンドルファイバ。
【請求項６】
複数の光源と、
前記各光源から出力された光を各々入射するものであり束ねられた複数の光ファイバと前記光ファイバの位置を調整する調整部とを有するバンドルファイバと、
前記バンドルファイバから出射された光を集光する集光部とを備えた光加工装置。
【請求項７】
バンドルファイバを構成する調整部は、光ファイバを保持する保持部と、前記保持部の光ファイバ出射部分を移動させる機構部とからなる請求項６記載の光加工装置。
【請求項８】
調整部を構成する機構部は、保持部に押し圧力を加えることで前記保持部の光ファイバ出射部分を移動させる請求項７記載の光加工装置。
【請求項９】
バンドルファイバを構成する複数の光ファイバは略環状に配置されており、調整部により各光ファイバの位置を変更して各光ファイバが配置されている略環状の径を変更することでバンドルファイバから出射される略環状の光の径を変更可能とする請求項６から８のいずれか１項に記載の光加工装置。
【請求項１０】
環状に配置された複数の光ファイバの略中心にも光ファイバを配置した請求項９記載の光加工装置。
【発明の詳細な説明】
【技術分野】
【０００１】
本発明は、例えば半導体レーザ等の光源を用いて回路基板へ部品の半田付け等を行う光加工に用いるバンドルファイバおよび光加工装置に関するものである。
【背景技術】
【０００２】
近年、半導体レーザと光ファイバを用いて半田付け等の光加工が行われている。
【０００３】
従来の光加工装置の第１の例としては、図６に示すように、図示しないレーザダイオード素子（以下、ＬＤ素子と記す）と、１本の光ファイバ（シングルファイバ）１３と、集光レンズ６とを備えており、ＬＤ素子の出力である光を光ファイバ１３に入射させて所定の位置に導光し、この光ファイバ１３から出射された光を集光レンズ６により集束させて例えば半田付け部に照射することで、部品の基板への半田付けを行うものがある。
【０００４】
また、従来の加工装置の第２の例としては、図７や図８に示すように、複数のＬＤ素子５と、複数の光ファイバ２３からなるバンドルファイバ１４と、集光レンズ６とを備えており、各ＬＤ素子５の出力である光を各光ファイバ２３に入射させて所定の位置に導光し、これら各光ファイバ２３から出射された光を集光レンズ６で集光させて例えば半田付け部に照射することで、部品の基板への半田付けを行うものが知られている（例えば、特許文献１参照）。
【特許文献１】特開平２−１４２６９５号公報
【発明の開示】
【発明が解決しようとする課題】
【０００５】
部品を基板に半田付けする場合、基板のスルーホールに部品のリード（導体ピン）を挿入し、その状態で、接合性を良くするために基板のランドや部品のリードといった半田付け部を予熱照射する必要がある。この予熱照射の際、従来の光加工装置の第１の例においては、図９に示すように半田付け部に照射される光の形状はシングルファイバ１３と同じ形状、すなわち円形となる。そして、この円内全てに光が照射されるので、図６に示すように、照射された光の一部がスルーホール８内を通って挿入部品９の表面に達してしまい、この挿入部品９に不具合を生じてしまうという課題があった。
【０００６】
また、光ファイバ２３を複数束ねた構成のバンドルファイバ１４を用いる場合においても、図１０に示すようにバンドルファイバ断面の全域に光ファイバ２３が設けられていると、上記と同様に、光の一部がスルーホール８を通って挿入部品９の表面に達してしまい、挿入部品９に不具合を生じてしまうという課題があった。
【０００７】
これに対し、従来の光加工装置の第２の例においては、バンドルファイバ１４を用いているが、バンドルの仕様を変更することで光の集束態様を種々選択可能とすることが記載されている。このように、光の集束態様を変更させ、その一例として、集束態様を略環状（ドーナツ状）とすることで上記課題を解決することも可能となる。
【０００８】
しかしこの場合、被加工物に応じて照射領域が環状であるが照射径が異なるように構成したバンドルファイバ１４を複数用意する必要があり、被加工物に応じて取り替えなければならず、作業性やコスト面で課題がある。なお、この課題に対応するために、図１０に示すようにバンドルファイバ１４断面内全域に光ファイバ２３を設けた構成とし、各光ファイバ２３の出力を調整するようにすることで、図１０に示すように環状でかつ照射径を可変に照射することが可能となるので、被加工物ごとにバンドルファイバ１４を取り替える必要が無くなる。しかし、この場合においても、バンドルファイバ１４を構成する光ファイバ２３の数が多く必要となるので不経済であり、また、各光ファイバ２３の出力を調節するための構成や制御が必要となるため、構成が複雑となりコストアップにもつながる。さらにこの場合において、照射径は光ファイバ２３が設けられている間隔により規制されるため、照射領域は離散的となり、連続的な細かな照射領域の調整ができないという課題もある。なお、微細な半田付けを行う場合等には、照射領域を微妙に調整することが望まれる。
【０００９】
本発明は、光の照射領域を連続的に変更可能なバンドルファイバおよび光加工装置を提供することを目的とする。
【課題を解決するための手段】
【００１０】
上記課題を解決するために、本発明のバンドルファイバは、各々一端から光を入射し他端から光を出射する束ねられた複数の光ファイバと、前記光ファイバの位置を調整する調整部とを備えている。そして、この構成により、容易かつ自在に様々な光の照射態様を実現することができる。
【００１１】
また、本発明の光加工装置は、複数の光源と、束ねられた複数の光ファイバと前記光ファイバの位置を調整する調整部とを有するバンドルファイバと、前記バンドルファイバから出射された光を集光する集光部とを備えている。そして、この構成により、加工対象に応じて適切は光の照射を行うことができ、高品質な加工を実現することができる。
【発明の効果】
【００１２】
以上のように、本発明は、バンドルファイバを構成する光ファイバの位置を変えることが可能な構成とすることにより、バンドルファイバから出射される光の態様を可変可能とし、被加工物に対して適切な光を照射して加工を行うことができる。
【発明を実施するための最良の形態】
【００１３】
以下、本発明を実施するための最良の形態について、図１から図５を用いて説明する。なお、先ず、実施の形態１で本願のバンドルファイバについて説明し、次いで、実施の形態２でこのバンドルファイバを用いた本願の光加工装置について説明する。
【００１４】
（実施の形態１）
図１はバンドルファイバ２０にレーザダイオード素子（以下、ＬＤ素子と記す）５を接続した例を示す模式図であり、図２はバンドルファイバ２０を光の照射側からみた状態を示す図であり、図３は、バンドルファイバ２０の断面を示す図である。なお、バンドルファイ２０は、詳細は後述するが、光ファイバ保持金具１と、光ファイバ２と、円環状に配置された光ファイバ３と、テーパ押え金具４とから構成される。
【００１５】
図２および図３に示すバンドルファイバ２０において、１は複数に分割されたテーパ形状を有する光ファイバ保持金具である。なお、この光ファイバ保持金具１の中央部には、光ファイバ２を配置するための穴加工が施されており、また、分割された各テーパ先端部には、円環状に光ファイバ３を配置するための穴加工が施されている。そして、上記した光ファイバ保持金具１の穴に光ファイバ２および光ファイバ３が挿通され、保持固定される。この光ファイバ２および光ファイバ３は、各々一端がＬＤ素子５に接続されており、ＬＤ素子５から光を入射し、入射した光を他端から出射するものである。
【００１６】
また、図３において、４はテーパ押え金具であり、テーパ部を有し、光ファイバ保持金具１の外側に位置するものである。そして、このテーパ押え金具４の位置を上下に移動させることで環状に配置された光ファイバ３の位置を変更することが可能となる。すなわち、例えば、テーパ押え金具４を上方（光ファイバ３の光の入射側）に移動させると、光ファイバ保持金具１のテーパ部はテーパ押え金具４により押される状態となる。これにより光ファイバ保持金具１の分割された各テーパ部が中央部方向へ倒れるように弾性変形し、この結果、光ファイバ保持金具１の各テーパの先端部に円環状に配置された光ファイバ３は中央部に集まる方向に移動する。
【００１７】
このように、テーパ押え金具４による光ファイバ保持金具１への押し量を調整することで、光ファイバ保持金具１の分割されたテーパ部の弾性変形量を調整することができ、結果として円環状に配置された光ファイバ３の位置を自在に調整することができる。そして、光ファイバ３の位置を自在に調整することで、円環状に配置された光ファイバ３から出射される光の形状を変更することができる。
【００１８】
なお、図３に示すようにテーパ押え金具４は連続的に移動することが可能なので、円環状に配置された光ファイバ３の円環直径を無段階に自在に調整することが可能である。
【００１９】
以上のように、本実施の形態のバンドルファイバ２０によれば、背景技術で示したように、光の照射態様に応じて各々仕様が異なる複数のバンドルファイバを用意しておく必要がなく、容易かつ自在に様々な照射態様を実現することができる。
【００２０】
また、本実施の形態のバンドルファイバ２０によれば、背景技術で示したように、光の照射態様を変更するために多くの光ファイバを用いてバンドルファイバを構成し、各々の光ファイバに入射するＬＤ素子の出力を制御するといったことは必要ないので、駆動させないＬＤ素子や光ファイバを接続した不経済な状態とすることなく、使用する光ファイバやＬＤ素子の数が少ないままで、容易かつ自在に様々な光の照射態様を実現することができる。
【００２１】
また、本実施の形態のバンドルファイバ２０によれば、背景技術で示したように、多くの光ファイバを用いてバンドルファイバを構成し、各々の光ファイバに入射するＬＤ素子の出力を制御することなく照射態様を変更することができるが、照射領域は離散的（不連続）な変化になってしまうということはなく、円環状に配置された光ファイバ３の円環直径を無段階に調整することができるので、連続的に照射態様を変化させることができる。
【００２２】
（実施の形態２）
本実施の形態において、実施の形態１と同様の構成については同一の符号を付して詳細な説明を省略する。
【００２３】
本実施の形態では、実施の形態１で示したバンドルファイバ２０を光加工装置に適用した例について、図４を用いて説明する。なお、図４は、光加工装置のうち、光加工を行っている主要な部分のみを示している。
【００２４】
図４において、光加工装置は、図示しない複数のＬＤ素子と、各々のＬＤ素子に接続された光ファイバ２および光ファイバ３を有する実施の形態１で説明したバンドルファイバ２０と、バンドルファイバ２０から出射された光を集光する集光レンズ６を備えている。また、７はプリント基板に設けられたランド、８はプリント基板に設けられたスルーホールであり、９はプリント基板に半田付けされる挿入部品、１０は挿入部品のリード（導体ピン）である。
【００２５】
図４を用いて、プリント基板に挿入部品９を半田付けする例について説明する。
【００２６】
先ず、挿入部品９のリード１０をプリント基板のスルーホール８に挿通させる。
【００２７】
次に、ランド７やスルーホール８の形状や寸法等に基づいて加工対象に対して適切な照射態様となるように、円環状に配置された光ファイバ３の円環径を調整する。なお、この調整は、照射した光がスルーホール８を通って挿入部品９に達することが無く、ランド７の面にのみ集光するように調整する。また、この調整は、光加工対象に実際に光を照射する前に調整しておくことが望ましく、加工対象と光ファイバ３の円環径との関係を予めデータベースとして準備しておき、これに基づいて光ファイバ３の円環径を調整するようにしても良い。
【００２８】
次に、半田の塗れ性を良くするための予熱を行うためにＬＤ素子を動作させ、挿入部品９のリード１０およびプリント基板のランド７に所定の光を照射する。このとき、上述したように、光ファイバ３から出射された光が挿入部品９に達することが無いように光ファイバ３の位置が調整されているので、挿入部品９のリード１０の根元を焼くといったような不具合を生じることは無い。また、円環状に配置された光ファイバ３の中央部に配置された光ファイバ２から出射された光は、挿入部品９のリード１０にのみ集光するので、スルホール８を通過する光は無く、挿入部品９のリード１０の根元を焼くことは無い。
【００２９】
次に、予熱された状態で半田付け部に半田を送給し、半田付けが行われる。
【００３０】
以上のように、本実施の形態の光加工装置によれば、例えば、加工対象により挿入部品９のリード１０の径やスルーホール８の径やランド７面の径の比率が１つ１つ異なる場合であっても、円環状に配置された光ファイバ３の円環径を調整することで、円環状のファイバ３から出射された光を、スルーホール8をさけてランド７面のみに集光するように個別に調整することができるので、加工対象に応じて適切は光の照射を行うことができ、照射した光によって挿入部品９に不具合を生じさせることもなく、高品質な半田付けを行うことができる。
【００３１】
さらに、焦点距離の異なる各種の集光レンズ６と組み合わせることにより、円環形状の変化のみならず円環形状の像の拡大や縮小も可能となり、適用可能な被加熱対象物の拡大を図ることができる。
【００３２】
なお、実施の形態１および２において、光ファイバ保持金具１を複数に分割されたテーパ形状を有するものとした例を示したが、これに限られるものではない。光ファイバ保持金具１の他の例について図５を用いて説明する。
【００３３】
図５は、バンドルファイバを光の照射側からみた状態を示す図である。図５において、１１は２分割されたテーパ形状の光ファイバ保持金具であり、テーパ先端部は、略平行状に複数の光ファイバ１２を配置するための穴加工が施されている。そして、これらの穴に光ファイバ１２が挿通され、保持固定されている。
【００３４】
この光ファイバ保持金具１１に対して、実施の形態１で示したごとくテーパ押え金具４を上方に移動させることで光ファイバ保持金具１１のテーパ部はテーパ押え金具４により押される状態となる。これにより光ファイバ保持金具１１の分割された各テーパ部が中央部方向へ倒れるように弾性変形し、この結果、光ファイバ保持金具１１の各テーパ部に配置された光ファイバ１２は中央部に集まる方向に移動し、ファイバ１２の平行間隔が狭くなり、光の照射態様を変化させることができる。
【００３５】
この光ファイバ保持金具１１の適用例としては、チップ部品等の両側端子の加熱等が挙げられ、複数のチップ部品があり、両側端子間のピッチが異なる場合でも、平行状に配置された光ファイバ１２の平行間隔を調整することで、端子部分のみに集光するように個別に調整することができる。
【００３６】
また、上記した実施の形態１，２において、テーパ押え金具４が光ファイバ保持金具１，１１を押す力の制御の方法としては、手動であっても自動であってもよい。
【００３７】
また、上記した実施の形態１，２において、光ファイバ保持金具１，１１のテーパ部分の分割数については、２分割以上であれば何分割でもよい。
【００３８】
また、上記した実施の形態１において、光ファイバ保持金具１の分割されたテーパ部の一つ一つに、光ファイバを１本ずつ固定保持する構成としてもよいし、複数本固定保持する構成としてもよい。
【００３９】
また、上記した実施の形態１，２において、テーパ押え金具４により光ファイバ保持金具１，１１を押し、これにより光ファイバ保持金具１，１１のテーパ部が中央部に倒れ込むように移動して各光ファイバ３，１２の位置が移動する例を示したが、一般に知られている旋盤のチャックに使用されているような構成を適用し、中央部に倒れ込むように移動するのではなく、各光ファイバ３，１２が略平行に移動するような構成としても良い。
【００４０】
また、光ファイバ３，１２の配置は、円環状や平行状に限るものではなく、楕円形状、三角形状、四角形状、星形状等、種々の形状としても良い。
【産業上の利用可能性】
【００４１】
本発明のバンドルファイバおよび光加工装置は、バンドルファイバを構成する光ファイバの位置を変えることが可能な構成とすることにより、バンドルファイバから出射される光の態様を可変可能とし、被加工物に対して適切な光を照射して加工を行うことができ、例えば半導体レーザ等の光源を用いて回路基板へ部品の半田付け等を行う光加工用として産業上有用である。
【図面の簡単な説明】
【００４２】
【図１】実施の形態１におけるバンドルファイバとレーザダイオード素子の接続を示す図
【図２】実施の形態１におけるバンドルファイバを光の照射側からみた状態を示す図
【図３】実施の形態１におけるバンドルファイバの断面を示す図
【図４】実施の形態２における光加工装置の光加工を行っている主要部を示す図
【図５】実施の形態におけるバンドルファイバを光の照射側からみた状態を示す図
【図６】従来の光加工装置における光加工の状態を示す図
【図７】従来におけるバンドルファイバとレーザダイオード素子の接続を示す図
【図８】従来の光加工装置における光加工の状態を示す図
【図９】従来の光ファイバによる光の照射状態を示す図
【図１０】従来のバンドルファイバを示す図
【符号の説明】
【００４３】
１  光ファイバ保持金具
２  光ファイバ
３  光ファイバ
４  テーパ押え金具
５  レーザダイオード素子（ＬＤ素子）
６  集光レンズ
７  ランド面
８  スルーホール
９  挿入部品
１０  リード（導体ピン）
１１  光ファイバ保持金具
１２  光ファイバ
１３  シングルファイバ
１４  バンドルファイバ
２３  光ファイバ
【図１】
2007065280.tif 000003
【図２】
2007065280.tif 000004
【図３】
2007065280.tif 000005
【図４】
2007065280.tif 000006
【図５】
2007065280.tif 000007
【図６】
2007065280.tif 000008
【図７】
2007065280.tif 000009
【図８】
2007065280.tif 000010
【図９】
2007065280.tif 000011
【図１０】
2007065280.tif 000012